(57)【要約】      （修正有）【課題】作業全体が把握し易くなり、作業全体の要点を簡易に把握でき、且つ、重要な情報を簡単に把握できる電子マニュアル表示方法及び電子マニュアル制御装置を提供する。【解決手段】電子マニュアル表示方法及び電子マニュアル制御装置において、拡大された分解斜視図３０８は、部品ユニット２０２全体を構成する複数の個別部品３３０相互の取付け関係の繋がりを示す共通の補助線３３１と共に同一の視野方向で個別部品３３０を揃えた分解状態で表示し、各個別部品３３０の配置に対応させてリンク表示３３２を表示する。制御装置は、リンク表示３３２のいずれかが選択されると、選択されたリンク表示３３２に対応する個別部品３３０の作業案内表示をモニタに表示させる。【選択図】図６
2017091449.tif 000002
【特許請求の範囲】
【請求項１】
完成品又は前記完成品のための部品モジュールを構成する複数の個別部品の作業を説明するマニュアルデータを制御装置が記憶装置から取得してモニタに表示させる電子マニュアル表示方法であって、
前記マニュアルデータは、
前記複数の個別部品の一部を含み且つ前記完成品又は前記部品モジュールを構成する部品ユニット全体の分解斜視図に関する分解斜視図データと、
前記個別部品の作業を説明する作業案内表示に関する作業案内データと、
前記分解斜視図中の前記個別部品と前記作業案内表示とを関連付けるリンク表示に関する作業案内リンクデータと
を含み、
前記部品ユニット全体の前記分解斜視図は、前記複数の個別部品相互の取付け関係の繋がりを示す共通の補助線と共に同一の視野方向で前記複数の個別部品を揃えた分解状態で表示したものであり、
前記制御装置は、
前記部品ユニット全体の前記分解斜視図において、前記個別部品の配置に対応させて前記リンク表示を表示させ、
ユーザからの操作入力を受ける操作入力装置を介して前記リンク表示のいずれかが選択されると、選択された前記リンク表示に対応する前記個別部品の前記作業案内表示を前記モニタに表示させる
ことを特徴とする電子マニュアル表示方法。
【請求項２】
請求項１記載の電子マニュアル表示方法において、
前記制御装置は、前記部品ユニットを構成する前記複数の個別部品の全部又は一部を、前記分解斜視図において略同一縮尺で表示させる
ことを特徴とする電子マニュアル表示方法。
【請求項３】
請求項１又は２記載の電子マニュアル表示方法において、
分解されない状態で取付け又は取り外しが行われる部品は、分解されない状態のまま前記個別部品として前記分解斜視図に表示される
ことを特徴とする電子マニュアル表示方法。
【請求項４】
請求項１〜３のいずれか１項に記載の電子マニュアル表示方法において、
前記マニュアルデータは、複数の前記部品ユニットについての前記分解斜視図データを含み、
前記制御装置は、
前記複数の前記部品ユニットに対応する複数の前記分解斜視図をまとめてサムネイル表示させ、
サムネイル表示された前記分解斜視図のいずれかが前記操作入力装置を介して選択されると、選択された前記分解斜視図を拡大して前記リンク表示と共に前記モニタに表示させる
ことを特徴とする電子マニュアル表示方法。
【請求項５】
請求項１〜４のいずれか１項に記載の電子マニュアル表示方法において、
前記制御装置は、
前記分解斜視図において、前記複数の個別部品をそれらの名称を伴わずに表示させ、
シンボル化した前記リンク表示を前記分解斜視図に含めると共に、前記シンボル化した前記リンク表示の説明を余白に表示させる
ことを特徴とする電子マニュアル表示方法。
【請求項６】
請求項１〜５のいずれか１項に記載に電子マニュアル表示方法において、
前記分解斜視図における前記個別部品には、ねじを含み、
前記マニュアルデータは、前記ねじの締結部位毎に必要となる前記ねじの本数データを含み、
前記制御装置は、前記分解斜視図において、前記ねじの締結部位毎に１本の前記ねじを前記ねじの本数と共に表示させる
ことを特徴とする電子マニュアル表示方法。
【請求項７】
完成品又は前記完成品のための部品モジュールを構成する複数の個別部品の作業に必要なマニュアルデータをデータベースから取得してモニタに表示させる電子マニュアル制御装置であって、
前記マニュアルデータは、
前記複数の個別部品の一部を含み且つ前記完成品又は前記部品モジュールを構成する部品ユニット全体の分解斜視図に関する分解斜視図データと、
前記個別部品の作業を説明する作業案内表示に関する作業案内データと、
前記分解斜視図中の前記個別部品と前記作業案内表示とを関連付けるリンク表示に関する作業案内リンクデータと
を含み、
前記部品ユニット全体の前記分解斜視図は、前記複数の個別部品相互の取付け関係の繋がりを示す共通の補助線と共に同一の視野方向で前記複数の個別部品を揃えた分解状態で表示したものであり、
前記電子マニュアル制御装置は、
前記部品ユニット全体の前記分解斜視図において、前記個別部品の配置に対応させて前記リンク表示を表示させ、
ユーザからの操作入力を受ける操作入力装置を介して前記リンク表示のいずれかが選択されると、選択された前記リンク表示に対応する前記個別部品の前記作業案内表示を前記モニタに表示させる
ことを特徴とする電子マニュアル制御装置。
【発明の詳細な説明】
【技術分野】
【０００１】
本発明は、完成品又は前記完成品のための部品モジュールを構成する個別部品の作業を説明するマニュアルデータを表示する電子マニュアル表示方法及び電子マニュアル制御装置に関する。
【背景技術】
【０００２】
車両等の完成品又は前記完成品のための部品モジュールについて、個別部品の作業（点検、調整、学習、取付け、取り外し等）に当たっては、サービスマニュアル等の電子マニュアルが利用されている（特許文献１）。
【０００３】
特許文献１では、散在する診断・整備情報を統合化して管理し、その統合化された情報を必要に応じて迅速に検索するシステムを提供することを課題としている（［０００６］、要約）。
【０００４】
当該課題を解決するため、特許文献１（要約、図２、図４）では、自動車のコンポーネントを大分類、中分類、小分類に分類して階層的な検索構造を構築する。サービス・マニュアル・データベース、トラブルシューティング・データベース及びパーツ・データベースに含まれるそれぞれの項目と大分類、中分類及び小分類の関連する項目又はさらにその下位の項目との間にリンクをはる。
【０００５】
大分類では、自動車のコンポーネントをエンジン、トランスミッション等の大きなコンポーネントに分類する（［０００７］、図２、図４）。中分類では、大分類を次のレベルのコンポーネント（エンジン・アセンブリ、エンジン・ケース・カバー、エンジン・シリンダ等）に分類する。小分類では、点検、調整、分析等、自動車の整備に関連する項目に分類する（図５〜図９、図１１）。
【先行技術文献】
【特許文献】
【０００６】
【特許文献１】特開２００２−２３６６９０号公報
【発明の概要】
【発明が解決しようとする課題】
【０００７】
上記のように、特許文献１では、大分類、中分類及び小分類に分類された階層的な検索構造を用いて検索を行う（要約、図２、図４）。そして、具体的な整備項目は、小分類により確認する（図４〜図９、図１１）。
【０００８】
整備の対象とする個別部品（対象部品）の整備内容をユーザ（作業者等）が確認する際、対象部品に至るまでに取り外し等を要する個別部品（関連部品）の情報を要する場合がある。そのような場合、特許文献１では、対象部品に関する簡単な作業であっても、関連部品の作業を含めた作業全体を把握するためには、対象部品と関連部品の関係をユーザ自らで調べた上で、小分類の複数の項目をそれぞれ見つけ出して確認する必要が生じる。そのような作業は、大変手間がかかると共に、注意すべき情報が散在するため、把握が難しい。
【０００９】
市場における電子マニュアルに対する要望は多種多様であるが、例えば車両の修理現場では、日々の整備作業において、顧客を待たせないための作業スピードは大変重要な項目である。このため、持ち込まれた車両の個々の整備作業についての作業要点を効率よく短時間で把握できるようにすることは大変重要である。
【００１０】
本発明は、上記のような事情を考慮したものであり、「作業全体が把握し易い」、「作業全体の要点を簡易に把握できる」及び「重要な情報を簡単に把握できる」を実現可能な電子マニュアル表示方法及び電子マニュアル制御装置を提供することを目的する。
【課題を解決するための手段】
【００１１】
本発明に係る電子マニュアル表示方法は、完成品又は前記完成品のための部品モジュールを構成する複数の個別部品の作業を説明するマニュアルデータを制御装置が記憶装置から取得してモニタに表示させる方法であって、
前記マニュアルデータは、
前記複数の個別部品の一部を含み且つ前記完成品又は前記部品モジュールを構成する部品ユニット全体の分解斜視図に関する分解斜視図データと、
前記個別部品の作業を説明する作業案内表示に関する作業案内データと、
前記分解斜視図中の前記個別部品と前記作業案内表示とを関連付けるリンク表示に関する作業案内リンクデータと
を含み、
前記部品ユニット全体の前記分解斜視図は、前記複数の個別部品相互の取付け関係の繋がりを示す共通の補助線と共に同一の視野方向で前記複数の個別部品を揃えた分解状態で表示したものであり、
前記制御装置は、
前記部品ユニット全体の前記分解斜視図において、前記個別部品の配置に対応させて前記リンク表示を表示させ、
ユーザからの操作入力を受ける操作入力装置を介して前記リンク表示のいずれかが選択されると、選択された前記リンク表示に対応する前記個別部品の前記作業案内表示を前記モニタに表示させる
ことを特徴とする。
【００１２】
本発明によれば、部品ユニット全体について、複数の個別部品相互の取付け関係の繋がりを示す共通の補助線と共に同一の視野方向で複数の個別部品を揃えた分解状態で表示した分解斜視図を表示させる。このため、ユーザは、自らが作業対象とする部品（対象部品）が部品ユニット全体の分解斜視図におけるいずれの位置にあるのか及び対象部品に至るまでの取り外し又は対象部品以降の取付け順番の全体を、一見しただけで容易に把握することが可能となる。
【００１３】
また、分解斜視図において個別部品に対応するリンク表示をユーザが選択すると、選択された個別部品の作業案内表示が表示される。ユーザが選択する個別部品として対象部品が選択された場合、ユーザは、対象部品の作業案内表示に容易に到達することができる。さらに、対象部品の取付け又は取り外しに関連する部品（関連部品）に対応するリンク表示をユーザが選択する場合、ユーザは、自ら関心のある関連部品の作業案内表示のみを選んで見ることができる。このため、ユーザは、必要な作業と、その作業に関して注意すべき重要情報を素早く選択して把握することが可能となる。
【００１４】
以上によれば、「作業全体が把握し易い」、「作業全体の要点を簡易に把握できる」及び「重要な情報を簡単に把握できる」を実現可能となる。
【００１５】
前記制御装置は、前記部品ユニットを構成する前記複数の個別部品の全部又は一部を、前記分解斜視図において略同一縮尺で表示させてもよい。これにより、ユーザは、分解斜視図を見ただけで実際の作業全体をイメージし易くなる。なお、ここでの「略同一縮尺」とは、同一縮尺に加え、見た目上、縮尺の相違をユーザが感じない程度の縮尺（例えば、特定の個別部品の縮尺に対する別の個別部品の縮尺の相違が０〜１０％の範囲）を含む。
【００１６】
分解されない状態で取付け又は取り外しが行われる部品は、分解されない状態のまま前記個別部品として前記分解斜視図に表示されてもよい。これにより、ユーザは、不要な分解作業等を考慮する必要がなくなり、作業実態に即した表示状態で個別部品の取付け又は取り外しを確認することが可能となる。また、分解状態と比較して、分解されない状態は、必要となる表示領域が小さくなるため、表示全体が見易くなる。
【００１７】
前記マニュアルデータは、複数の前記部品ユニットについての前記分解斜視図データを含んでもよい。また、前記制御装置は、前記複数の前記部品ユニットに対応する複数の前記分解斜視図をまとめてサムネイル表示させてもよい。さらに、前記制御装置は、サムネイル表示された前記分解斜視図のいずれかが前記操作入力装置を介して選択されると、選択された前記分解斜視図を拡大して前記リンク表示と共に前記モニタに表示させてもよい。これにより、ユーザは、自らが作業対象とする部品（対象部品）がいずれの部品ユニットに含まれるかを、サムネイル表示を利用して視覚的又は直感的に検索することが可能となる。
【００１８】
前記制御装置は、前記分解斜視図において、前記複数の個別部品をそれらの名称を伴わずに表示させてもよい。また、シンボル化した前記リンク表示を前記分解斜視図に含めると共に、前記シンボル化した前記リンク表示の説明を余白に表示させてもよい。これにより、モニタの表示領域に制限がある中で、細かな名称が多数表示されることによる視認性の低下を回避することで、個別部品それぞれを際立たせて、ユーザの視認性を向上することが可能となる。
【００１９】
本実施形態において、前記分解斜視図における前記個別部品には、ねじを含んでもよい。前記マニュアルデータは、前記ねじの締結部位毎に必要となる前記ねじの本数データを含んでもよい。前記制御装置は、前記分解斜視図において、前記ねじの締結部位毎に１本の前記ねじを前記ねじの本数と共に表示させてもよい。
【００２０】
これにより、分解斜視図では、ねじの締結部位毎に１本のねじを表示するため、モニタの表示領域に制限がある中で、個別部品それぞれをより大きく表示して、ユーザの視認性を向上することが可能となる。加えて、ねじの本数が表示されるため、ユーザは、必要なねじの本数を認識することが可能となる。
【００２１】
本発明に係る電子マニュアル表示システムは、完成品又は前記完成品のための部品モジュールを構成する複数の個別部品の作業に必要なマニュアルデータをデータベースから取得してモニタに表示させるものであって、
前記マニュアルデータは、
前記複数の個別部品の一部を含み且つ前記完成品又は前記部品モジュールを構成する部品ユニット全体の分解斜視図に関する分解斜視図データと、
前記個別部品の作業を説明する作業案内表示に関する作業案内データと、
前記分解斜視図中の前記個別部品と前記作業案内表示とを関連付けるリンク表示に関する作業案内リンクデータと
を含み、
前記部品ユニット全体の前記分解斜視図は、前記複数の個別部品相互の取付け関係を示す補助線と共に同一の視野方向で前記複数の個別部品を揃えた分解状態で表示したものであり、
前記電子マニュアル制御装置は、
前記部品ユニット全体の前記分解斜視図において、前記個別部品の配置に対応させて前記リンク表示を表示させ、
ユーザからの操作入力を受ける操作入力装置を介して前記リンク表示のいずれかが選択されると、選択された前記リンク表示に対応する前記個別部品の前記作業案内表示を前記モニタに表示させる
ことを特徴とする。
【発明の効果】
【００２２】
本発明によれば、作業全体が把握し易くなり、作業全体の要点を簡易に把握でき、且つ重要な情報を簡単に把握できる。
【図面の簡単な説明】
【００２３】
【図１】本発明の一実施形態に係る電子マニュアル制御装置としての演算部を含む電子マニュアル表示システムの概略的な構成を示す図である。
【図２】前記実施形態において電子マニュアルを実際に利用する際の全体的な流れの一例を示すフローチャートである。
【図３】前記本実施形態の前記電子マニュアルにおける画面の移り変わりを説明する図である。
【図４】前記実施形態の上位カテゴリ選択画面の一例を示す図である。
【図５】前記実施形態のサムネイル画面の一例を示す図である。
【図６】前記実施形態の拡大表示画面の第１例を示す図である。
【図７】前記実施形態の拡大表示画面の第２例を示す図である。
【図８】前記実施形態の拡大表示画面の第３例を示す図である。
【図９】前記実施形態の作業案内画面の第１例を示す図である。
【図１０】前記実施形態の作業案内画面の第２例を示す図である。
【図１１】前記実施形態の詳細作業画面の一例を示す図である。
【発明を実施するための形態】
【００２４】
Ａ．一実施形態
［Ａ−１．構成］
（Ａ−１−１．全体構成）
図１は、本発明の一実施形態に係る電子マニュアル制御装置としての演算部３６を含む電子マニュアル表示システム１０（以下「システム１０」又は「表示システム１０」とも称する。）の概略的な構成を示す図である。システム１０は、車両８０の整備及び診断を行う際の電子マニュアル９０（図３）を表示させるためのシステムである。
【００２５】
システム１０は、複数の販売店端末１２（以下「端末１２」ともいう。）と、サーバ１４とを有する。端末１２は、サービス拠点としての複数の車両販売店Ａ、Ｂ（以下「販売店Ａ、Ｂ」ともいう。）に配置される。サーバ１４は、管理センターＣに配置される。本実施形態において、各端末１２とサーバ１４は、通信ネットワーク２０を介して通信可能である。
【００２６】
（Ａ−１−２．販売店端末１２）
販売店Ａ、Ｂには、整備又は診断の目的で顧客８２が自らの車両８０を持ち込む。販売店端末１２は、販売店Ａ、Ｂにおける作業者８４（テクニシャン）等が、車両８０（完成品）の整備又は診断を行うため電子マニュアル９０を参照する際に用いられる。
【００２７】
図１に示すように、端末１２は、信号入出力部３０と、通信部３２と、操作入力部３４と、演算部３６と、記憶部３８と、モニタ４０と、スピーカ４２とを有する。信号入出力部３０は、端末１２と外部機器との間で信号の入出力を行う。通信部３２は、通信ネットワーク２０を介してサーバ１４と通信する。通信部３２を信号入出力部３０の一部と位置付けてもよい。操作入力部３４（操作入力装置）は、作業者８４等のユーザが入出力を行う機器であり、例えば、キーボードとマウスを有する。
【００２８】
演算部３６は、端末１２の各部を制御して種々の処理を実行する。本実施形態の演算部３６は、操作入力部３４からの入力に基づいて記憶部３８から電子マニュアル９０（図３）のデータＤｍ（以下「マニュアルデータＤｍ」ともいう。）を読み出して、モニタ４０に表示させる。また、演算部３６は、通信部３２及びネットワーク２０を介してサーバ１４から最新のマニュアルデータＤｍを取得する。本実施形態では、マニュアルデータＤｍは、マニュアルファイルＦｍの形式で利用される。
【００２９】
記憶部３８（記憶装置）は、演算部３６で用いる制御プログラム等の各種のプログラムやデータを記憶する。ここにいうデータには、複数の車種に対応する複数のマニュアルデータＤｍ（マニュアルファイルＦｍ）が含まれる。記憶部３８は、複数のマニュアルデータＤｍ（マニュアルファイルＦｍ）を蓄積したマニュアルデータベース５０（以下「マニュアルＤＢ５０」という。）を備える。
【００３０】
各マニュアルデータＤｍは、分解斜視図データＤｅｐｖと、作業案内リンクデータＤｏｇｌと、ねじ作業データＤｓｃｗと、作業案内データＤｏｇと、詳細作業リンクデータＤｄｏｌとを含む。
【００３１】
分解斜視図データＤｅｐｖは、後述する分解斜視図２０４、３０８（図３、図５〜図８）に関するデータである。作業案内リンクデータＤｏｇｌは、分解斜視図３０８中の個別部品３３０（図６〜図８）と作業案内画面４００（図９、図１０）とをリンクさせるデータである。ねじ作業データＤｓｃｗは、個別部品３３０としてのねじ３４６（図６）の作業（必要本数及び目標トルク）に関するデータである。作業案内データＤｏｇは、作業案内画面４００に関するデータである。詳細作業リンクデータＤｄｏｌは、作業案内画面４００と詳細作業画面５００（図１１）とをリンクさせるデータである。
【００３２】
モニタ４０は、演算部３６からの指令に基づいて電子マニュアル９０（図３）等を表示する。スピーカ４２は、演算部３６からの指令に基づいて電子マニュアル９０の表示に伴う音を出力する。
【００３３】
端末１２のハードウェア構成としては、例えば、デスクトップ型又はノート型パーソナルコンピュータとすることができる。或いは、市販のタブレット型コンピュータ又はスマートフォンを用いてもよい。なお、図１では、販売店Ａの端末１２のみ内部構成を示しているが、販売店Ｂの端末１２も同様の構成を有する。
【００３４】
（Ａ−１−３．サーバ１４）
サーバ１４は、システム１０全体を管理するものであり、各販売店Ａ、Ｂの端末１２に対して最新のマニュアルファイルＦｍを提供する。サーバ１４は、端末１２と同様、信号入出力部、通信部、操作入力部、演算部、記憶部、モニタ及びスピーカ（いずれも図示せず）を備える。サーバ１４の記憶部は、最新のマニュアルファイルＦｍを蓄積したマニュアルデータベースを有する。
【００３５】
［Ａ−２．電子マニュアル９０の利用］
（Ａ−２−１．事前準備）
作業者８４が電子マニュアル９０を利用するための事前準備として、作業者８４又は販売店Ａ、Ｂの誰かが、端末１２のマニュアルＤＢ５０中のマニュアルデータＤｍを最新のものに更新しておく。マニュアルファイルＦｍの更新に際しては、端末１２からサーバ１４に接続し、更新された又は新たに加えられたマニュアルファイルＦｍの有無を確認する。更新された又は新たに加えられたマニュアルファイルＦｍがある場合、サーバ１４から端末１２に対して当該マニュアルファイルＦｍをダウンロードする。
【００３６】
なお、端末１２の記憶部３８にマニュアルＤＢ５０を記憶せず、電子マニュアル９０の利用時にサーバ１４からマニュアルファイルＦｍを取得する場合、上記の事前準備は不用である。
【００３７】
（Ａ−２−２．実際の利用時における全体的な流れ）
図２は、本実施形態において電子マニュアル９０を実際に利用する際の全体的な流れの一例を示すフローチャートである。図３は、本実施形態の電子マニュアル９０における画面の移り変わりを説明する図である。図４〜図１１は、本実施形態における画面の第１例〜第８例を示す図である。
【００３８】
図２のステップＳ１において、ユーザとしての作業者８４は、端末１２の操作入力部３４を操作して、車両８０が該当する車種（対象車種）の電子マニュアルファイルＦｍを開く。換言すると、演算部３６は、操作入力部３４への入力に基づいて対象車種に対応する電子マニュアルファイルＦｍを開く。
【００３９】
電子マニュアルファイルＦｍを開いた直後の初期画面として、演算部３６は、上位カテゴリ選択画面１００（図３及び図４）をモニタ４０に表示させる。上位カテゴリ選択画面１００（以下「選択画面１００」ともいう。）には、複数の上位カテゴリ選択肢１０６ａ〜１０６ｄが含まれる。以下では、上位カテゴリ選択肢１０６ａ〜１０６ｄを「選択肢１０６ａ〜１０６ｄ」ともいい、「上位カテゴリ選択肢１０６」又は「選択肢１０６」と総称する。
【００４０】
ステップＳ２において、作業者８４は、上位カテゴリ選択画面１００に表示されている上位カテゴリ選択肢１０６のうち、作業者８４が関心を有する個別部品３３０が存在するものを選択する。これに対応して、演算部３６は、操作入力部３４への入力に基づいて選択された選択肢１０６を強調表示させる。ここでの強調表示としては、例えば、より目立つ色での表示を行うことができる。また、演算部３６は、選択された選択肢１０６に対応する複数の部品ユニット２０２の分解斜視図２０４を含むサムネイル画面２００を表示する（図３及び図５）。
【００４１】
なお、作業者８４が関心を有する個別部品３３０は、自らが作業対象とする部品（以下「対象部品３３０ｔａｒ」ともいう。）とすることができる。或いは、作業者８４が関心を有する個別部品３３０は、対象部品３３０ｔａｒの取付け又は取り外しに関連する部品（以下「関連部品３３０ａｓｓ」ともいう。）であってもよい。ここでは、作業者８４が関心を有する個別部品３３０は対象部品３３０ｔａｒであるものとして説明する。
【００４２】
ステップＳ３において、作業者８４は、表示されている複数の分解斜視図２０４のうち対象部品３３０ｔａｒが存在するものを選択する。これに対応して、演算部３６は、操作入力部３４への入力に基づいて選択された分解斜視図２０４を拡大表示した分解斜視図３０８を含む拡大表示画面３００を表示させる（図３及び図６〜図８）。作業者８４は、拡大された分解斜視図３０８を見ることにより、対象部品３３０ｔａｒの位置等を認識することが可能となる。そして、作業者８４は、対象部品３３０ｔａｒと関連部品３３０ａｓｓの配置関係から、取り外し若しくは取付けの順番又は作業工程を把握することができる。拡大された分解斜視図３０８には、複数の個別部品３３０に対応する作業案内リンク表示３３２が含まれる。
【００４３】
ステップＳ４において、作業者８４は、拡大表示されている分解斜視図３０８中の複数の個別部品３３０のうち対象部品３３０ｔａｒの作業に関連して影響のあるものに対応する作業案内リンク表示３３２を選択する。これに対応して、演算部３６は、選択された作業案内リンク表示３３２に対応する作業案内画面４００を表示させる（図３、図９及び図１０）。
【００４４】
作業案内画面４００には、個別部品３３０の作業に関する記載（作業説明文４２０）及びイラストレーション４２２が含まれる。作業者８４は、当該記載及びイラストレーション４２２を参照して個別部品３３０の作業（点検、調整、学習、取付け、取り外し等）を行う。
【００４５】
また、一部の作業案内画面４００には、点検、調整若しくは学習の詳細又は部品ユニット２０２を構成する部品サブユニット４５０の分解斜視図４５２に関するリンク表示４２４（以下「詳細作業リンク表示４２４」ともいう。）が含まれる（図９）。リンク表示４２４は、点検、調整若しくは学習の詳細又は部品サブユニット４５０の分解斜視図４５２に関する簡易な説明（題名のようなもの）として表示される。
【００４６】
ステップＳ５において、作業者８４は、作業案内画面４００に含まれる詳細作業リンク表示４２４のうち自ら関心を有するものを選択する。これに対応して、演算部３６は、選択されたリンク表示４２４に対応する詳細作業画面５００を表示させる（図３及び図１１）。なお、作業案内画面４００と同様の詳細作業リンク表示４２４を詳細作業画面５００にも含ませてもよい。詳細作業画面５００に含ませるリンク表示４２４は、表示中の詳細作業画面５００とは別の詳細作業画面５００に対応する。
【００４７】
（Ａ−２−３．各画面の説明）
次に、電子マニュアルファイルＦｍに含まれる各画面についてさらに説明する。上記のように、本実施形態では、画面として、上位カテゴリ選択画面１００と、サムネイル画面２００と、拡大表示画面３００と、作業案内画面４００と、詳細作業画面５００とが表示される（図３）。
【００４８】
（Ａ−２−３−１．上位カテゴリ選択画面１００）
図４は、本実施形態の上位カテゴリ選択画面１００の一例を示す図である。上位カテゴリ選択画面１００では、上述した上位カテゴリ選択肢１０６ａ〜１０６ｄに加え、車両８０（図１）のイラストレーション１０２と、矢印マーク１０４とが表示される。４つの選択肢１０６ａ〜１０６ｄは、中央に位置する車両８０のイラストレーション１０２に対して、矢印マーク１０４と共に上、下、左又は右に配置される。
【００４９】
図４の例では、選択肢１０６ａは、車両８０のエンジン／トランスミッションに対応する。選択肢１０６ｂは、車両８０のインテリアに対応する。選択肢１０６ｃは、車両８０のエクステリアに対応する。選択肢１０６ｄは、車両８０の足回り又は下回りに対応する。上記のように、いずれかの選択肢１０６が作業者８４により選択されると、選択された選択肢１０６に対応するサムネイル画面２００が表示される（図３）。
【００５０】
また、各選択肢１０６ａ〜１０６ｄは、車両８０のイラストレーション１１０と、強調領域１１２とを有する。強調領域１１２は、各選択肢１０６ａ〜１０６ｄが対応する箇所を示している。例えば、選択肢１０６ａの強調領域１１２は、車両８０（イラストレーション１１０）のエンジン及びトランスミッションに対応する箇所を強調する。
【００５１】
（Ａ−２−３−２．複数の部品ユニット２０２のサムネイル画面２００）
図５は、本実施形態のサムネイル画面２００の一例を示す図である。図５に示すように、サムネイル画面２００には、複数の部品ユニット２０２の分解斜視図２０４がサムネイル表示される。加えて、本実施形態のサムネイル画面２００には、上位カテゴリ選択画面１００で選択された選択肢１０６（図５の例では選択肢１０６ｂ）も含まれる。選択肢１０６は、サムネイル画面２００に含ませなくてもよい。
【００５２】
なお、サムネイル画面２００には、後述する作業案内リンク表示３３２が非常に小さく含まれている。或いは、サムネイル画面２００では、作業案内リンク表示３３２の表示を省略してもよい。
【００５３】
（Ａ−２−３−３．選択された部品ユニット２０２の拡大表示画面３００）
（Ａ−２−３−３−１．概要）
図６〜図８は、本実施形態の拡大表示画面３００の第１例〜第３例を示す図である。以下では、図６の拡大表示画面３００を拡大表示画面３００ａと、図７の拡大表示画面３００を拡大表示画面３００ｂと、図８の拡大表示画面３００を拡大表示画面３００ｃともいう。
【００５４】
図６〜図８に示すように、各拡大表示画面３００は、型式表示欄３０２と、部品ユニット名表示欄３０４と、位置表示欄３０６と、分解斜視図３０８と、記号説明欄３１０と、マーク個数表示欄３１２とを含む。
【００５５】
（Ａ−２−３−３−２．型式表示欄３０２及び部品ユニット名表示欄３０４）
型式表示欄３０２は、車両８０の型式を表示する。部品ユニット名表示欄３０４は、サムネイル画面２００で選択された部品ユニット２０２（以下「選択部品ユニット２０２ｓｅｌ」ともいう。）の名称を表示する。換言すると、拡大表示画面３００における分解斜視図３０８は、部品ユニット名表示欄３０４に記載された部品ユニット２０２の全体について、部品ユニット２０２を分解状態で表示している分解斜視図である。
【００５６】
（Ａ−２−３−３−３．位置表示欄３０６）
位置表示欄３０６は、拡大表示画面３００で対象となっている部品ユニット２０２が、車両８０においていずれの位置にあるかを示す。すなわち、位置表示欄３０６には、車両８０のイラストレーション３２０と、部品ユニット２０２の位置を示す位置表示３２２とが含まれる。
【００５７】
（Ａ−２−３−３−４．分解斜視図３０８）
分解斜視図３０８は、選択部品ユニット２０２ｓｅｌを構成する各個別部品３３０を同一の視野方向で取付け順に揃えた状態で示す斜視図である。また、相互に組み付けられる各個別部品３３０は、個別部品３３０相互の取付け関係を示す補助線３３１（貫通線又は連絡線）により関連付けられている。これにより、個別部品３３０それぞれの位置関係が明確に理解し易くなる。
【００５８】
補助線３３１は、例えば、ねじ３４６（図６）により取り付けられる各個別部品３３０の貫通孔を貫くように配置される。ねじ３４６以外にも、ピン等の連結部材に対応させて補助線３３１を設けてもよい。或いは、ボス等の凸部と、これに対応する凹部とからなる連結部位に対応させて補助線３３１を設けることもできる。
【００５９】
さらに、分解斜視図３０８において、複数の個別部品３３０の全部又は一部は、略同一縮尺で表示される。ここでの「略同一縮尺」とは、同一縮尺に加え、見た目上、縮尺の相違を作業者８４が感じない程度の縮尺（例えば、特定の個別部品の縮尺に対する別の個別部品の縮尺の相違が０〜１０％の範囲）を含む。
【００６０】
本実施形態の分解斜視図３０８は、上記のように整理された状態で表示された各個別部品３３０の斜視図及び補助線３３１に加え、作業案内リンク表示３３２と、ねじ作業表示３３４とを含む。また、本実施形態においては、各個別部品３３０の名称及びそれらの説明（文字表示）は排除されている（すなわち、表示されない）ことに留意されたい。
【００６１】
作業案内リンク表示３３２（以下「リンク表示３３２」ともいう。）は、各個別部品３３０の作業に関する作業案内画面４００（図３、図９及び図１０）へのリンクである。上記のように、特定の作業案内リンク表示３３２が選択されると、選択されたリンク表示３３２に対応する作業案内画面４００が表示される（図３）。
【００６２】
本実施形態では、作業案内リンク表示３３２は、通し番号３４０及びリンクマーク３４２を有する。各リンク表示３３２は、対応する個別部品３３０と矢印３４４で関連付けられる。通し番号３４０は、各拡大表示画面３００における通し番号であり、本実施形態では、分解斜視図３０８の外枠を時計回りに「１、２、３、・・・」となるように通し番号３４０を設定する。これにより、リンク表示３３２の存在を認識し易くする。
【００６３】
リンクマーク３４２は、作業案内画面４００の種類毎にシンボル化されている。本実施形態では、黒丸「●」は、点検作業についての情報が存在していることを示す。黒三角「▲」は、調整作業についての情報が存在していることを示す。星印「★」は、学習作業についての情報が存在していることを示す。黒四角「◆」は、作業に当たっての注意・アドバイス・警告に関する情報が存在していることを示す。点検、調整、学習及び注意・アドバイス・警告の情報の詳細は、作業案内画面４００及び詳細作業画面５００に関連して説明する。
【００６４】
ねじ作業表示３３４は、ねじ（例えば、図６のねじ３４６）の作業を示す。具体的には、ねじを締め付ける目標トルク［Ｎ］を四角の枠で囲んで表示する。また、ねじの必要本数を乗算記号「×」と共に示すことで、必要本数を示す。さらに、分解時に交換を要するねじには、黒抜きのバツ印を示す。
【００６５】
分解斜視図３０８に含まれる各個別部品３３０の斜視図に関し、本実施形態では、他の個別部品３３０の取付け又は取り外しに際し、分解されない状態で取付け又は取り外しが行われる部品は、分解されない状態のまま個別部品３３０として表示される。例えば、図７に示すように、拡大表示画面３００ｂでは、サスペンション３５０が組み立てられた状態で個別部品３３０として表示される。
【００６６】
また、本実施形態では、車両８０における部品ユニット２０２及び個別部品３３０の位置関係をわかり易くするため、部品ユニット２０２に含まれない個別部品３３０を分解斜視図３０８に含ませることができる。例えば、図８の拡大表示画面３００ｃは、マウント、サブフレーム及びステアリングギアボックスが部品ユニット２０２である。図８の分解斜視図３０８には、この部品ユニット２０２（マウント、サブフレーム及びステアリングギアボックス）に含まれないエンジン３６０が他の個別部品３３０と表示方法（例えば表示色又は線の種類）を相違させた状態で含まれる。
【００６７】
（Ａ−２−３−３−５．記号説明欄３１０及びマーク個数表示欄３１２）
記号説明欄３１０は、上述したリンクマーク３４２及びねじ作業表示３３４の内容を説明する欄である。マーク個数表示欄３１２は、リンクマーク３４２の種類毎に個数を表示する。
【００６８】
（Ａ−２−３−４．個別部品３３０の作業案内画面４００）
図９及び図１０は、本実施形態の作業案内画面４００の第１例及び第２例を示す図である。図９の例は、図６の拡大表示画面３００ａに対応し、図１０の例は、図７の拡大表示画面３００ｂに対応する。以下では、図９の作業案内画面４００を作業案内画面４００ａと、図１０の作業案内画面４００を作業案内画面４００ｂともいう。作業案内画面４００ａは、個別部品３３０の点検作業を案内する。作業案内画面４００ｂは、部品ユニット２０２を構成する部品サブユニット４５０として個別部品３３０（サスペンション３５０）の分解斜視図４５２を含む。
【００６９】
作業案内画面４００が各個別部品３３０の点検、調整若しくは学習の詳細に関するものである場合、図９に示すように、作業案内画面４００は、型式表示欄４０２と、部品ユニット名表示欄４０４と、通し番号表示欄４０６と、作業説明欄４０８とを含む。このうち通し番号表示欄４０６及び作業説明欄４０８は、拡大表示画面３００の作業案内リンク表示３３２毎に設けられる。
【００７０】
型式表示欄４０２及び部品ユニット名表示欄４０４は、拡大表示画面３００の型式表示欄３０２及び部品ユニット名表示欄３０４と同様である。
【００７１】
通し番号表示欄４０６は、拡大表示画面３００で選択された作業案内リンク表示３３２（以下「選択リンク表示３３２ｓｅｌ」ともいう。）に対応する通し番号４１０を表示する。本実施形態では、選択リンク表示３３２ｓｅｌに対応する通し番号表示欄４０６及び作業説明欄４０８に加え、他の作業案内リンク表示３３２に対応する通し番号表示欄４０６及び作業説明欄４０８も含まれる。
【００７２】
作業説明欄４０８は、作業説明文４２０と、イラストレーション４２２と、詳細作業リンク表示４２４とを含む。作業説明文４２０は、選択リンク表示３３２ｓｅｌ及び他のリンク表示３３２に対応する個別部品３３０の作業を説明する。イラストレーション４２２は、選択リンク表示３３２ｓｅｌ及び他のリンク表示３３２に対応する個別部品３３０の作業を、簡単なイラストレーション図で表示する。
【００７３】
詳細作業リンク表示４２４は、各個別部品３３０の点検、調整若しくは学習の情報の詳細又は部品ユニット２０２を構成する部品サブユニット４５０の分解斜視図４５２に関する詳細作業画面５００（図３及び図１１）へのリンクである。上記のように、特定の詳細作業リンク表示４２４が選択されると、選択されたリンク表示４２４に対応する詳細作業画面５００が表示される（図３及び図１１）。リンク表示４２４は、点検、調整若しくは学習の詳細又は部品サブユニット４５０の分解斜視図４５２に関する簡易な説明（題名のようなもの）として表示される。
【００７４】
作業案内画面４００が部品ユニット２０２を構成する部品サブユニット４５０の分解斜視図４５２を含む場合、図１０のように、作業案内画面４００は、分解斜視図４５２に加え、型式表示欄４０２と、部品サブユニット名表示欄４５４とを含む。このうち分解斜視図４５２及び部品サブユニット名表示欄４５４は、拡大表示画面３００の作業案内リンク表示３３２毎に設けられる。
【００７５】
分解斜視図４５２は、拡大表示画面３００では一体の個別部品３３０として表示されていた部品サブユニット４５０が分解された状態を示す。図１０の例の場合、図６〜図８の拡大表示画面３００の位置表示欄３０６、記号説明欄３１０及びマーク個数表示欄３１２の全部又は一部と同様の表示を含めてもよい。
【００７６】
部品サブユニット名表示欄４５４は、拡大表示画面３００で選択された部品サブユニット４５０（以下「選択部品サブユニット４５０ｓｅｌ」ともいう。）の名称を表示する。換言すると、作業案内画面４００ｂにおける分解斜視図４５２は、部品サブユニット名表示欄４５４に記載された部品サブユニット４５０の分解斜視図である。
【００７７】
（Ａ−２−３−５．個別部品３３０の詳細作業画面５００）
図１１は、本実施形態の詳細作業画面５００の一例を示す図である。図１１の例は、図９の作業案内画面４００ａに対応する。
【００７８】
図１１に示すように、詳細作業画面５００は、型式表示欄５０２と、作業名表示欄５０４と、作業説明欄５０６とを含む。型式表示欄５０２は、拡大表示画面３００及び作業案内画面４００の型式表示欄３０２、４０２と同様である。作業名表示欄５０４は、詳細作業画面５００に対応する作業名（以下「作業名Ｎｏｐ」という。）を表示する。本実施形態における作業名Ｎｏｐは、作業案内画面４００の詳細作業リンク表示４２４の内容（文字）と同じである。
【００７９】
図１１の作業説明欄５０６は、イラストレーション５１０と、作業手順説明欄５１２と、基準値説明欄５１４とを含む。イラストレーション５１０は、作業名Ｎｏｐに対応する個別部品３３０の作業を示す。作業手順説明欄５１２は、作業名Ｎｏｐに対応する個別部品３３０の作業手順を示す。基準値説明欄５１４は、作業名Ｎｏｐに対応する個別部品３３０の作業における基準値を示す。これらに加え又はこれらの一部に代えて、例えば、作業条件説明欄又は補足説明欄を設けてもよい。作業条件説明欄は、作業名Ｎｏｐに対応する個別部品３３０の作業を行う条件を示す。補足説明欄は、作業名Ｎｏｐに対応する個別部品３３０の作業の補足説明を示す。
【００８０】
［Ａ−３．本実施形態の効果］
以上のように、本実施形態によれば、部品ユニット２０２全体について、複数の個別部品３３０相互の取付け関係の繋がりを示す共通の補助線３３１と共に同一の視野方向で複数の個別部品３３０を揃えた分解状態で表示した分解斜視図３０８を表示させる（図６〜図８）。このため、作業者８４（ユーザ）は、自らが作業対象とする個別部品３３０（対象部品３３０ｔａｒ）が部品ユニット２０２全体の分解斜視図３０８におけるいずれの位置にあるのか及び対象部品３３０ｔａｒに至るまでの取り外し又は対象部品３３０ｔａｒ以降の取付け順番の全体を、一見しただけで容易に把握することが可能となる。
【００８１】
また、分解斜視図３０８において個別部品３３０に対応するリンク表示３３２を作業者８４が選択すると、選択された個別部品３３０の作業案内画面４００（作業案内表示）が表示される（図３、図９、図１０）。作業者８４が選択する個別部品３３０として対象部品３３０ｔａｒが選択された場合、作業者８４は、対象部品３３０ｔａｒの作業案内画面４００に容易に到達することができる。さらに、対象部品３３０ｔａｒの取付け又は取り外しに関連する個別部品３３０（関連部品３３０ａｓｓ）に対応するリンク表示３３２を作業者８４が選択する場合、作業者８４は、自ら関心のある関連部品３３０ａｓｓの作業案内画面４００のみを選んで見ることができる。このため、作業者８４は、必要な作業と、その作業に関して注意すべき重要情報を素早く選択して把握することが可能となる。
【００８２】
以上によれば、「作業全体が把握し易い」、「作業全体の要点を簡易に把握できる」及び「重要な情報を簡単に把握できる」を実現可能となる。
【００８３】
本実施形態において、演算部３６（制御装置）は、部品ユニット２０２を構成する複数の個別部品３３０の全部又は一部を、分解斜視図３０８において略同一縮尺で表示させる（図６〜図８）。これにより、作業者８４（ユーザ）は、分解斜視図３０８を見ただけで実際の作業全体をイメージし易くなる。
【００８４】
本実施形態において、分解されない状態で取付け又は取り外しが行われる部品（サスペンション３５０）は、分解されない状態のまま個別部品３３０として分解斜視図３０８に表示される（図７）。これにより、作業者８４は、不要な分解作業等を考慮する必要がなくなり、作業実態に即した表示状態で個別部品３３０の取付け又は取り外しを確認することが可能となる。また、分解状態と比較して、分解されない状態は、必要となる表示領域が小さくなるため、表示全体が見易くなる。
【００８５】
本実施形態において、マニュアルデータＤｍは、複数の部品ユニット２０２についての分解斜視図データＤｅｐｖを含む（図１）。また、演算部３６（制御装置）は、複数の部品ユニット２０２に対応する複数の分解斜視図２０４をまとめてサムネイル表示させる（図５）。さらに、演算部３６は、サムネイル表示された分解斜視図２０４のいずれかが操作入力部３４（操作入力装置）を介して選択されると、選択された分解斜視図２０４を拡大して作業案内リンク表示３３２と共にモニタ４０に表示させる（図３、図６〜図８）。これにより、作業者８４（ユーザ）は、自らが作業対象とする個別部品３３０（対象部品３３０ｔａｒ）がいずれの部品ユニット２０２に含まれるかを、サムネイル表示を利用して視覚的又は直感的に検索することが可能となる。
【００８６】
本実施形態において、演算部３６（制御装置）は、分解斜視図３０８において、複数の個別部品３３０をそれらの名称を伴わずに表示させる（図６〜図８）。また、演算部３６は、リンクマーク３４２（シンボル化したリンク表示３３２）を分解斜視図３０８に含めると共に、リンクマーク３４２の説明を余白としての記号説明欄３１０に表示させる（図６〜図８）。これにより、モニタ４０の表示領域に制限がある中で、細かな名称が多数表示されることによる視認性の低下を回避することで、個別部品３３０それぞれを際立たせて、作業者８４（ユーザ）の視認性を向上することが可能となる。
【００８７】
本実施形態において、分解斜視図３０８における個別部品３３０には、ねじ３４６を含む（図６）。また、マニュアルデータＤｍは、ねじ３４６の締結部位毎に必要となるねじ３４６の本数データを含む（図６）。演算部３６（制御装置）は、分解斜視図３０８において、ねじ３４６の締結部位毎に１本のねじ３４６をねじ３４６の本数と共に表示させる（図６）。
【００８８】
これにより、分解斜視図３０８では、ねじ３４６の締結部位毎に１本のねじ３４６を表示するため、モニタ４０の表示領域に制限がある中で、個別部品３３０それぞれをより大きく表示して、作業者８４（ユーザ）の視認性を向上することが可能となる。加えて、ねじ３４６の本数が表示されるため、作業者８４は、必要なねじ３４６の本数を認識することが可能となる。
【００８９】
Ｂ．変形例
なお、本発明は、上記実施形態に限らず、本明細書の記載内容に基づき、種々の構成を採り得ることはもちろんである。例えば、以下に示す構成を採ることができる。
【００９０】
［Ｂ−１．適用対象］
上記実施形態では、電子マニュアル表示システム１０又は電子マニュアル表示方法を、完成品としての車両８０に適用した（図１）。しかしながら、例えば、分解斜視図３０８と作業案内リンク表示３３２を用いる観点（図６〜図８）からすれば、これに限らない。例えば、システム１０又は電子マニュアル表示方法を、車両８０を構成する複数の部品モジュール（例えば、エンジン、モータ、ナビゲーション装置）のいずれかに用いることもできる。或いは、システム１０又は電子マニュアル表示方法を、車両８０以外の装置（例えば、船舶、航空機等の移動体、ロボット、製造装置、又は家電製品）に用いることもできる。
【００９１】
［Ｂ−２．電子マニュアル表示システム１０の構成］
上記実施形態では、端末１２を販売店Ａ、Ｂに属する販売店端末とした（図１）。しかしながら、例えば、分解斜視図３０８と作業案内リンク表示３３２を用いる観点（図６〜図８）からすれば、これに限らない。例えば、端末１２を個人端末としてもよい。
【００９２】
上記実施形態では、端末１２で用いるマニュアルファイルＦｍは、サーバ１４からダウンロードして端末１２の記憶部３８に記憶したものを用いた（図１）。しかしながら、例えば、分解斜視図３０８と作業案内リンク表示３３２を用いる観点（図６〜図８）からすれば、これに限らない。例えば、記録媒体（ＵＳＢメモリ等）を介してマニュアルファイルＦｍを記憶部３８に記憶してもよい。或いは、ダウンロードを伴わないいわゆるＡＳＰ（Application Service Provider）型でサーバ１４のマニュアルファイルＦｍを利用するものであってもよい。
【００９３】
［Ｂ−３．電子マニュアル９０］
（Ｂ−３−１．電子マニュアル９０全般）
上記実施形態の電子マニュアル９０は、画面として、上位カテゴリ選択画面１００と、サムネイル画面２００と、拡大表示画面３００と、作業案内画面４００と、詳細作業画面５００とを表示した（図３）。しかしながら、例えば、拡大表示画面３００の利用に着目すれば、拡大表示画面３００以外の画面の１つ又は複数を省略することも可能である。
【００９４】
（Ｂ−３−２．拡大表示画面３００）
上記実施形態の拡大表示画面３００の分解斜視図３０８では、個別部品３３０の名称を表示しなかった（図６〜図８）。しかしながら、分解斜視図３０８において１つ又は複数の個別部品３３０の名称を表示させてもよい。その際、通常は個別部品３３０の名称を表示しなくても、個別部品３３０の上又は近傍領域（範囲設定された領域）にカーソルを移動させると、個別部品３３０の名称を表示させるように構成してもよい。
【００９５】
上記実施形態の拡大表示画面３００では、斜視図で示した個別部品３３０の近傍に作業案内リンク表示３３２を配置した（図６〜図８）。しかしながら、例えば、分解斜視図３０８と作業案内リンク表示３３２を用いる観点（図６〜図８）からすれば、これに限らない。例えば、斜視図で示した個別部品３３０自体を作業案内リンク表示３３２として用いることも可能である。すなわち、作業者８４が操作入力部３４を介して個別部品３３０を選択すると、作業案内画面４００を表示するようにしてもよい。
【００９６】
上記実施形態の拡大表示画面３００は、各個別部品３３０を略同一縮尺で表示した（図６〜図８）。しかしながら、例えば、分解斜視図３０８と作業案内リンク表示３３２を用いる観点（図６〜図８）からすれば、これに限らない。例えば、一部の個別部品３３０について他の個別部品３３０と縮尺を大きく変えて表示してもよい。
【００９７】
上記実施形態の分解斜視図３０８は、各個別部品３３０の斜視図に加え、作業案内リンク表示３３２と、ねじ作業表示３３４とを含んでいた（図６〜図８）。しかしながら、例えば、作業案内リンク表示３３２を用いる観点（図６〜図８）からすれば、ねじ作業表示３３４を省略することも可能である。或いは、ねじ作業表示３３４における、目標トルク、必要本数又は分解時の交換必要性のいずれかを省略することも可能である。
【００９８】
（Ｂ−３−３．作業案内画面４００）
上記実施形態では、拡大表示画面３００においていずれかの作業案内リンク表示３３２が選択されると、拡大表示画面３００を作業案内画面４００に切り替えた（図３）。しかしながら、例えば、リンク表示３３２が選択されると個別部品３３０の作業案内表示を行う観点からすれば、これに限らない。例えば、拡大表示画面３００上に作業案内画面４００を重畳させて表示してもよい。
【００９９】
（Ｂ−３−４．その他）
上記実施形態では、図３に示す方法で対象部品３３０ｔａｒ又は関連部品３３０ａｓｓの作業を案内可能とした。しかしながら、対象部品３３０ｔａｒ又は関連部品３３０ａｓｓの作業を案内するその他の方法を合わせて用いることも可能である。そのような方法としては、例えば、部品ユニット２０２又は個別部品３３０に関するキーワードで作業案内画面４００又は詳細作業画面５００を呼び出すキーワード検索を用いることができる。或いは、部品ユニット２０２毎に作業の一覧を表示してその中から作業案内画面４００又は詳細作業画面５００に対応する作業を選択する検索方法を用いることができる。
【符号の説明】
【０１００】
１０…電子マニュアル表示システム    １２…販売店端末
３４…操作入力部（操作入力装置）
３６…演算部（制御装置、電子マニュアル制御装置）
３８…記憶部（記憶装置）            ４０…モニタ
８０…車両（完成品）                ８４…作業者（ユーザ）
２００…サムネイル画面              ２０２…部品ユニット
２０４…サムネイル表示された分解斜視図
３０８…拡大された分解斜視図
３１０…記号説明欄（リンク表示の説明）
３３０…個別部品                    ３３１…補助線
３３２…作業案内リンク表示（リンク表示）
３４２…リンクマーク（シンボル化したリンク表示）
３４６…ねじ
３５０…サスペンション（分解されない状態で取付け又は取り外しが行われる部品）
４００、４００ａ、４００ｂ…作業案内画面（作業案内表示）
Ｄｅｐｖ…分解斜視図データ          Ｄｏｇ…作業案内データ
Ｄｏｇｌ…作業案内リンクデータ      Ｄｍ…マニュアルデータ
Ｄｓｃｗ…ねじ作業データ（ねじの本数データ）
【図１】
2017091449.tif 000003
【図２】
2017091449.tif 000004
【図３】
2017091449.tif 000005
【図４】
2017091449.tif 000006
【図５】
2017091449.tif 000007
【図６】
2017091449.tif 000008
【図７】
2017091449.tif 000009
【図８】
2017091449.tif 000010
【図９】
2017091449.tif 000011
【図１０】
2017091449.tif 000012
【図１１】
2017091449.tif 000013